(57)【特許請求の範囲】
【請求項１】
円筒軸を中心に回転可能に保持された、円筒状のプリーツフィルタと、
前記プリーツフィルタを回転させる駆動機構と、
バラスト水を生成するための被処理水を通す被処理水流路と、
前記被処理水流路から延設され、前記プリーツフィルタの外周面に向けて、前記被処理水を流出する被処理水ノズルと、
前記プリーツフィルタを囲むように設けられて、前記被処理水ノズルのノズル口を内部に備えた外筒部を有するケースと、
前記プリーツフィルタを透過した濾過水を前記プリーツフィルタの円筒内部から前記ケースの外部へ導出する濾過水流路と、
前記プリーツフィルタで濾過されなかった排出水を前記ケースの外部へ排出する排出流路と、
前記被処理水ノズルの前記ノズル口における前記被処理水の圧力と前記ケース内の前記被処理水の容器圧との間の差圧を調整するための差圧調整機構とを備える、バラスト水処理装置。
【請求項２】
前記差圧調整機構は、
前記被処理水流路と前記ケースとをつなぎ、前記ノズル口を迂回して前記被処理水を前記ケースの内部に導入するバイパス流路と、
前記バイパス流路に設けられて、前記バイパス流路を流れる前記被処理水の流量を制御する流量制御機構とを含む、請求項１に記載のバラスト水処理装置。
【請求項３】
前記差圧調整機構は、
前記濾過水の流量と前記排出水の流量との比率を制御するための流量比制御機構を含む、請求項１または請求項２に記載のバラスト水処理装置。
【請求項４】
前記差圧調整機構は、前記ノズル口の開口面積を変更するように構成される、請求項１から請求項３のいずれか１項に記載のバラスト水処理装置。
【請求項５】
前記差圧調整機構は、前記ノズル口と前記プリーツフィルタとの間の距離を調整するように構成される、請求項１から請求項４のいずれか１項に記載のバラスト水処理装置。
【請求項６】
前記差圧調整機構を制御するための制御部をさらに備える、請求項１から請求項５のいずれか１項に記載のバラスト水処理装置。
【請求項７】
円筒軸を中心に回転可能に保持された、円筒状のプリーツフィルタと、
前記プリーツフィルタを回転させる駆動機構と、
バラスト水を生成するための被処理水を通す被処理水流路と、
前記被処理水流路から延設され、前記プリーツフィルタの外周面に向けて、前記被処理水を流出する被処理水ノズルと、
前記プリーツフィルタを囲むように設けられて、前記被処理水ノズルのノズル口を内部に備えた外筒部を有するケースと、
前記プリーツフィルタを透過した濾過水を前記プリーツフィルタの円筒内部から前記ケースの外部へ導出する濾過水流路と、
前記プリーツフィルタで濾過されなかった排出水を前記ケースの外部へ排出する排出流路とを有するバラスト水処理装置の運転方法であって、
前記プリーツフィルタを前記駆動機構により回転させた状態で、前記被処理水を前記被処理水ノズルから前記プリーツフィルタの外周面に向けて流出するステップと、
差圧調整機構によって、前記被処理水ノズルの前記ノズル口における前記被処理水の圧力と、前記ケース内の前記被処理水の容器圧との間の差圧を調整するステップとを備える、バラスト水処理装置の運転方法。
【発明の詳細な説明】
【技術分野】
【０００１】
本発明は、バラスト水処理装置およびその運転方法に関する。
【背景技術】
【０００２】
バラスト水は、船体姿勢あるいは喫水を安全な状態に維持するために船舶に積載される。たとえば搬出先において船舶から貨物が下ろされた後、船舶の周囲の水（海水、淡水、あるいは汽水）が採取されて、その水がバラスト水として船舶に積み込まれる。船舶に貯留したバラスト水は、その船舶の寄港地において船外に排出される。
【０００３】
国際航海を行う航船の場合、バラスト水が取水された海域とバラスト水が排出される海域とが異なり得る。バラスト水中に生物が生存する場合、バラスト水が船舶から排出されることにより、その生物は本来の生息地ではない海域に移動させられる。このため、バラスト水の排出が海域の生態系に影響を及ぼすという問題が生じうる。
【０００４】
この問題を回避するために、バラスト水を浄化するための装置および方法がこれまでに提案されている。たとえば特開２０１１−１９４３９６号公報（特許文献１）は、船舶用バラスト水の処理装置を開示する。この処理装置は、軸線を囲むように円筒配置されたフィルタを有する。フィルタは、その軸線を中心に回転自在に設けられる。処理装置は、フィルタを回転させつつ被処理水を濾過する。
【先行技術文献】
【特許文献】
【０００５】
【特許文献１】特開２０１１−１９４３９６号公報
【発明の概要】
【発明が解決しようとする課題】
【０００６】
上記構成を有する濾過装置において、安定的かつ連続的に被処理水を濾過するために重要な点は、被処理水の噴出によるフィルタの洗浄効果を高めることである。本発明の目的は、フィルタの洗浄効果を高めるための構成を備えたバラスト水処理装置、およびその運転方法を提供することを目的とする。
【課題を解決するための手段】
【０００７】
本発明の一態様に係るバラスト水処理装置は、円筒軸を中心に回転可能に保持された、円筒状のプリーツフィルタと、プリーツフィルタを回転させる駆動機構と、バラスト水を生成するための被処理水を通す被処理水流路と、被処理水流路から延設され、プリーツフィルタの外周面に向けて、被処理水を流出する被処理水ノズルと、プリーツフィルタを囲むように設けられて、被処理水ノズルのノズル口を内部に備えた外筒部を有するケースと、プリーツフィルタを透過した濾過水をプリーツフィルタの円筒内部からケースの外部へ導出する濾過水流路と、プリーツフィルタで濾過されなかった排出水をケースの外部へ排出する排出流路と、被処理水ノズルのノズル口における被処理水の圧力とケース内の被処理水の容器圧との間の差圧を調整するための差圧調整機構とを備える。
【発明の効果】
【０００８】
上記によれば、バラスト水処理装置が備えるフィルタの洗浄効果を高めることができる。
【図面の簡単な説明】
【０００９】
【図１】本発明の一実施形態に係るバラスト水処理装置を備えた、船舶用バラスト水処理システムの全体構成およびバラスト水の処理方法を示す図である。
【図２】図１に示された濾過装置の構成を概略的に示した概略図である。
【図３】図２のＩＩＩ−ＩＩＩ線に沿った断面図である。
【図４】図２および図３に示されたプリーツフィルタの代表的な構成を説明する斜視模式図である。
【図５】被処理水がプリーツフィルタを通過することによって被処理水が濾過されるときにプリーツフィルタに加わる力を説明した図である。
【図６】圧力によりプリーツフィルタに生じる破損の一例を示す図である。
【図７】濾過装置の各部分に生じる圧力を説明するための図である。
【図８】本発明の第１の実施の形態に係る差圧調整機構を説明するための模式図である。
【図９】本発明の第２の実施の形態に係る差圧調整機構を説明するための模式図である。
【図１０】本発明の第３の実施の形態に係る差圧調整機構を説明するための模式図である。
【図１１】本発明の第４の実施の形態に係る差圧調整機構を説明するための模式図である。
【図１２】本発明の第５の実施の形態に係る差圧調整機構を説明するための模式図である。
【発明を実施するための形態】
【００１０】
[本発明の実施形態の説明]
最初に本発明の実施態様を列記して説明する。以下において、「被処理水」との用語は、バラスト水処理システムによって処理される水を称する。
【００１１】
（１）本発明の一態様に係るバラスト水処理装置は、円筒軸を中心に回転可能に保持された、円筒状のプリーツフィルタと、プリーツフィルタを回転させる駆動機構と、バラスト水を生成するための被処理水を通す被処理水流路と、被処理水流路から延設され、プリーツフィルタの外周面に向けて、被処理水を流出する被処理水ノズルと、プリーツフィルタを囲むように設けられて、被処理水ノズルのノズル口を内部に備えた外筒部を有するケースと、プリーツフィルタを透過した濾過水をプリーツフィルタの円筒内部からケースの外部へ導出する濾過水流路と、プリーツフィルタで濾過されなかった排出水をケースの外部へ排出する排出流路と、被処理水ノズルのノズル口における被処理水の圧力とケース内の被処理水の容器圧との間の差圧を調整するための差圧調整機構とを備える。
【００１２】
上記によれば、バラスト水処理装置が備えるフィルタの洗浄効果を高めることができる。被処理水ノズルのノズル口における被処理水の圧力と、ケース内の被処理水の容器圧との間の差圧は、適切な範囲内にあることが求められる。差圧が小さい場合には、被処理水の濾過能力、およびプリーツフィルタの洗浄の効果が下がりやすい。一方、差圧が大きい場合には、プリーツフィルタが破損しやすい。差圧調整機構によって差圧を調整することができるので、被処理水を濾過しながらプリーツフィルタを効果的に洗浄することができる。
【００１３】
（２）好ましくは、差圧調整機構は、被処理水流路とケースとをつなぎ、ノズル口を迂回して被処理水をケースの内部に導入するバイパス流路と、バイパス流路に設けられて、バイパス流路を流れる被処理水の流量を制御する流量制御機構とを含む。
【００１４】
上記によれば、バイパス流路を流れる被処理水の流量を調整することによって、差圧を調整することができる。
【００１５】
（３）好ましくは、差圧調整機構は、濾過水の流量と排出水の流量との比率を制御するための流量比制御機構を含む。
【００１６】
上記によれば、流量比を調整することによって、差圧を調整することができる。
（４）好ましくは、差圧調整機構は、ノズル口の開口面積を変更するように構成される。
【００１７】
上記によれば、ノズル口の開口面積を調整することによって、ノズル口から噴出される被処理水の圧力を調整することができる。したがって、差圧を調整することができる。
【００１８】
（５）好ましくは、差圧調整機構は、ノズル口とプリーツフィルタとの間の距離を調整するように構成される。
【００１９】
上記によれば、ノズル口とプリーツフィルタとの間の距離を調整することによって、差圧を調整することができる。
【００２０】
（６）好ましくは、バラスト水処理装置は、差圧調整機構を制御するための制御部をさらに備える。
【００２１】
上記によれば、差圧を自動的に調整することができる。
（７）本発明の一態様に係るバラスト水処理装置の運転方法は、次の構成を備えるバラスト水処理装置の運転方法である。バラスト水処理装置は、円筒軸を中心に回転可能に保持された、円筒状のプリーツフィルタと、プリーツフィルタを回転させる駆動機構と、バラスト水を生成するための被処理水を通す被処理水流路と、被処理水流路から延設され、プリーツフィルタの外周面に向けて、被処理水を流出する被処理水ノズルと、プリーツフィルタを囲むように設けられて、被処理水ノズルのノズル口を内部に備えた外筒部を有するケースと、プリーツフィルタを透過した濾過水をプリーツフィルタの円筒内部からケースの外部へ導出する濾過水流路と、プリーツフィルタで濾過されなかった排出水をケースの外部へ排出する排出流路とを有する。運転方法は、プリーツフィルタを駆動機構により回転させた状態で、被処理水を被処理水ノズルからプリーツフィルタの外周面に向けて流出するステップと、差圧調整機構によって、被処理水ノズルのノズル口における被処理水の圧力とケース内の被処理水の容器圧との間の差圧を調整するステップとを備える。
【００２２】
上記によれば、バラスト水処理装置が備えるフィルタの洗浄効果を高めることができる。
【００２３】
[本発明の実施形態の詳細]
以下、本発明の実施の形態について、図面を参照しながら詳細に説明する。なお、図中同一または相当部分には同一符号を付してその説明は繰り返さない。
【００２４】
図１は、本発明の一実施形態に係るバラスト水処理装置を備えた、船舶用バラスト水処理システムの全体構成およびバラスト水の処理方法を示す図である。図１に示すように、船舶用バラスト水処理システムは、被処理水を取水する。被処理水は、たとえば海水である。被処理水は配管３１を経てポンプ２１に送られる。ポンプ２１は、配管３２を通じて濾過装置１２に被処理水を供給する。濾過装置１２は、被処理水を濾過する。濾過された濾過水は、配管３３を経て殺滅装置１３に送られる。濾過装置１２において濾過されなかった排出水は、配管３５を経て装置外部へ導出される。
【００２５】
殺滅装置は、紫外線照射装置あるいは電解装置である。殺滅処理を経た海水は、配管３４を経てタンク１４に送られ、バラスト水として貯留される。
【００２６】
図２は、図１に示された濾過装置１２の構成を概略的に示した概略図である。図３は、図２のＩＩＩ−ＩＩＩ線に沿った断面図である。図２および図３を参照して、円筒形状のプリーツフィルタ６１は回転中心となる軸線を囲むように配置される。プリーツフィルタ６１は、その中心に配置された中心配管８０の周囲を回転自在に取り付けられている。なお、中心配管８０は回転しない。
【００２７】
プリーツフィルタ６１の円筒上下面は水密に塞がれている。回転自在な取り付け構造は、同じく水密構造とする必要があるが、特に限定されることなく既知の構造が用いられる。
【００２８】
プリーツフィルタ６１の全体を覆うように、ケース６３が設けられる。ケース６３は、外筒部７１、蓋部７２、および底部７３で構成される。底部７３に、配管３３へとつながる排出流路６５が設けられる。
【００２９】
被処理水としての海水を導入するために、ケース６３の内部には、被処理水流路６６と被処理水ノズル６２とが設けられる。被処理水流路６６は配管３２につながる。被処理水ノズル６２は、ノズル口６７を有する。被処理水がプリーツフィルタ６１の外周面に向かって流出するように、ノズル口６７がケース６３の外筒部７１の内部に備わる。プリーツフィルタ６１の回転のために、モータ９０がプリーツフィルタ６１の中心軸に備えられる。軸線Ｃはプリーツフィルタ６１（円筒）の中心軸を示す。モータ９０は駆動制御部（図示せず）からの電力により駆動される。
【００３０】
図２に示された構成によれば、ケース６３の蓋部７２に薬液注入口７０が設けられている。ただしケース６３に薬液注入口を設けることは必須ではない。
【００３１】
被処理水ノズル６２は、被処理水流路６６から延設されるように構成される。被処理水ノズル６２の先端にノズル口６７が形成される。ノズル口６７は、ケース６３の外筒部７１の中に配置される。被処理水がノズル口６７からプリーツフィルタ６１の外周面に向けて流出するように、ノズル口６７が形成される。
【００３２】
被処理水は被処理水流路６６を通り、被処理水ノズル６２のノズル口６７から噴出する。ノズル口６７から噴出した被処理水は、プリーツフィルタ６１の円筒外部から円筒内部へと透過される。これによって被処理水が濾過される。プリーツフィルタ６１を透過することによって濾過された被処理水は、中心配管８０に設けられた取水穴８１を通して濾過水流路６４に導かれて、濾過装置１２の外部に流出される。
【００３３】
プリーツフィルタ６１によって濾過されなかった水および、ケース６３の底部７３に沈殿した濁質分は、排出流路６５を通じて濾過装置１２の外部に排出される。このように濁質分、あるいは残った水が連続的に排出されつつ濾過が行われる。これにより、被処理水の処理量として要求される処理量を確保することができる。
【００３４】
以上の動作において、プリーツフィルタ６１の外周面には生物あるいは粒子等の濁質が付着する。モータ９０がプリーツフィルタ６１を回転させるとともに、ノズル口６７から被処理水が噴出される。噴出した被処理水の圧力によって、プリーツフィルタ６１に付着した濁質分が除去されやすい。すなわち、この実施の形態によれば、バラスト水を濾過すると同時にプリーツフィルタ６１を洗浄することができる。
【００３５】
図４は、図２および図３に示されたプリーツフィルタ６１の代表的な構成を説明する斜視模式図である。図４を参照して、平面帯状の基材を山谷交互に折りたたむことによって、いわゆるプリーツ形状が形成される。プリーツ状に形成された基材の両端をつなぎ合わせることで円筒状のプリーツフィルタが形成される。プリーツフィルタは、外端部Ｍおよび内端部Ｖを有する。
【００３６】
フィルタの基材には、多孔質樹脂シートが用いられる。多孔質樹脂シートの材質として、例えば、ポリエステル、ナイロン、ポリエチレン、ポリプロピレン、ポリウレタン、ポリテトラフルオロエチレン（ＰＴＦＥ）、ポリフッ化ビニリデン（ＰＶｄＦ）等からなる延伸多孔質体、相分離多孔体、不織布等の多孔質構造物が利用される。高流量での濾過処理を行なうために、ポリエチレンテレフタレートなどのポリエステルからなる不織布が特に好適に用いられる。
【００３７】
図５は、被処理水がプリーツフィルタ６１を通過することによって被処理水が濾過されるときにプリーツフィルタ６１に加わる力を説明した図である。図５において、５本並んだ矢印は、被処理液が外端部Ｍ側から供給される方向を示している。ノズル口（図５に示さず）から噴出した被処理水の圧力Ｐによってプリーツが開く。その開いた部分には被処理水が流入する。プリーツフィルタ６１は回転しているため、次のプリーツが開くとともに、１つ前のプリーツが閉じる。閉じた部分から被処理水が排出される。プリーツの開閉にともなう被処理水の動きによって、プリーツフィルタ６１に付着した濁質分を除去できる。
【００３８】
被処理水の流量あるいは圧力に依存して、圧力Ｐが変動する。構成によっては、プリーツフィルタ６１に振動が加わる、あるいは、プリーツフィルタ６１を曲げる力が作用する。振動あるいは力が大きい場合には、プリーツフィルタ６１が破損する可能性、あるいはプリーツフィルタ６１の耐久性が低下する可能性がある。
【００３９】
図６（Ａ）および図６（Ｂ）は、圧力Ｐによりプリーツフィルタ６１に生じる破損の一例を示す図である。図６（Ａ）は、破損が生じる前のプリーツフィルタ６１の状態を示す図である。図６（Ｂ）は破損時のプリーツフィルタ６１の状態を模式的に示した図である。上述のように、形状固定と密封のために、プリーツフィルタ６１の上下が固定される。図５に示されるように、プリーツを開く方向に圧力Ｐが繰り返し加わることによって、図６（Ｂ）に示す方向にプリーツフィルタ６１の中央部の付近（部分Ｄ）が折れ曲がる。これにより、部分Ｄにおいて割れあるいは破れが生じて濾過機能が損なわれる場合がある。
【００４０】
この実施の形態では、濾過される対象が液体である。空気等の気体の場合に比べてプリーツフィルタが受ける圧力が大きい。このためにプリーツフィルタは破損しやすい。プリーツフィルタの破損を防止しつつ、効果的な洗浄のためにプリーツを開閉することが求められる。
【００４１】
図７は、濾過装置１２の各部分に生じる圧力を説明するための図である。図７を参照して、圧力Ｐｉは、被処理水流路６６における被処理水の圧力（入口圧）である。圧力Ｐｓは、被処理水流路６６のノズル口から噴出される被処理水の圧力である。圧力Ｐｃは、ケース６３の内部の圧力（容器圧）である。圧力Ｐｏは、プリーツフィルタ６１を通過した被処理水の圧力（出口圧）である。
【００４２】
圧力Ｐｓは、入口圧（Ｐｉ）からノズル口による圧力損失を差し引いた圧力に相当する。圧力Ｐｉと圧力Ｐｓとの間の圧力損失は、ノズル口の開口面積と被処理水の流量とが決まれば一定である。
【００４３】
図５に示された圧力Ｐの変動は、圧力Ｐｓと圧力Ｐｃとの間の差圧Ｐｓｃ（＝Ｐｓ−Ｐｃ）の変動に相当する。この差圧Ｐｓｃがプリーツを変形させる圧力に相当する。
【００４４】
この実施の形態では、濾過装置１２は、差圧Ｐｓｃを調整するための圧力調整機構を備える。一実施形態では、差圧Ｐｓｃは５〜１０ｋＰａの範囲内に定められる。これにより、プリーツフィルタ６１の破損を防止しつつ、プリーツフィルタ６１を効果的に洗浄することができる。差圧Ｐｓｃが５ｋＰａよりも小さいとプリーツフィルタ６１を洗浄する効果が弱くなる。一方、差圧Ｐｓｃが１０ｋＰａよりも大きいと、プリーツフィルタ６１が生じる可能性が高くなる。以下、各実施の形態について詳細に説明する。
【００４５】
＜第１の実施の形態＞
図８は、本発明の第１の実施の形態に係る差圧調整機構を説明するための模式図である。図８を参照して、差圧調整機構６８は、バイパス流路６９と、流量制御弁６９ａとを含む。バイパス流路６９は、被処理水流路６６と、ケース６３とをつなぐ。バイパス流路６９は、被処理水流路６６のノズル口６７を迂回して、被処理水をケース６３の内部に導入する。流量制御弁６９ａは、バイパス流路６９を流れる被処理水の流量を制御する。これにより、圧力Ｐｓを調整することができる。したがって、差圧Ｐｓｃを調整することができる。バイパス流路６９からの水流がプリーツフィルタ６１の円周方向に沿った方向となるように、バイパス流路６９がケース６３に接続される。バイパス流路６９は、プリーツフィルタ６１の側面を除く位置においてケース６３に接続されてもよい。
【００４６】
＜第２の実施の形態＞
図９は、本発明の第２の実施の形態に係る差圧調整機構を説明するための模式図である。図９に示されるように、差圧調整機構６８は、バルブ５３およびバルブ５６を含む。バルブ５３は濾過水流路６４に設けられる。バルブ５６は、排出流路６５に設けられる。
【００４７】
濾過運転中は、バルブ５１を開けることにより、被処理水Ｗ１が被処理水流路６６に導かれる。バルブ５３が開くことによって、濾過水Ｗ２がケース６３から外部に導出される。バルブ５６が開くことによって、濾過されなかった被処理水が濁質分と共に排出水Ｗ３として排出される。
【００４８】
バルブ５３およびバルブ５６の少なくとも一方は、流量制御弁である。流量制御弁の開度を調節することによって、濾過水Ｗ２の流量と排出水Ｗ３の流量との比を調整することができる。この流量比の調整によって、差圧Ｐｓｃを調整することができる。バルブ５３およびバルブ５６は流量比制御機構を構成する。流量比制御機構は、図８に示されたバイパス流路６９と、流量制御弁６９ａとともに用いられてもよい。
【００４９】
＜第３の実施の形態＞
図１０は、本発明の第３の実施の形態に係る差圧調整機構を説明するための模式図である。図１０に示されるように、差圧調整機構６８は、ノズル口６７の開口面積を変更するように構成される。ノズル口６７は、側壁部６２ｃ，６２ｄ、上部６２ａ、および下部６２ｂによって構成される。ノズル口６７の開口面積はＬ×Ｗによって表される。Ｌは、上部６２ａおよび下部６２ｂの間の距離である。Ｗは、ノズル口６７の幅、すなわち、側壁部６２ｃおよび側壁部６２ｄの間の距離である。
【００５０】
図１０に示された形態では、差圧調整機構６８は、ノズル口６７の幅Ｗを変更するためのネジによって構成される。ネジを回すことにより、側壁部６２ｄが側壁部６２ｃに近づく、あるいは遠ざかる。幅Ｗが変化することによってノズル口６７の開口面積が変化する。これにより、被処理水流路６６のノズル口から噴出される被処理水の圧力Ｐｓを変化させることができるので、差圧Ｐｓｃを調整することができる。図１０に示された構成は、第１の実施の形態、第２の実施の形態、またはそれらの組み合わせにも適用することができる。
【００５１】
＜第４の実施の形態＞
図１１は、本発明の第４の実施の形態に係る差圧調整機構を説明するための模式図である。図１１に示されるように、被処理水ノズル６２はケース６３を貫く方向にスライド可能である。差圧調整機構６８は、被処理水ノズル６２のノズル口６７とプリーツフィルタ６１との間の距離を調整できるように構成される。たとえば差圧調整機構６８は、被処理水ノズル６２の位置を固定するためのネジであってもよい。
【００５２】
ノズル口６７がプリーツフィルタ６１に近づくほど圧力Ｐｓが高くなる。逆に、ノズル口６７がプリーツフィルタ６１から遠ざかるほど圧力Ｐｓが低くなる。ノズル口６７とプリーツフィルタ６１との間の距離を調整することによって圧力Ｐｓを調整することができる。この結果、差圧Ｐｓｃを調整することができる。なお、第４の実施の形態に係る構成は、第１の実施形態、第２の実施形態、第３の実施形態の各々、それらの任意の組み合わせにも適用することができる。
【００５３】
＜第５の実施の形態＞
図１２は、本発明の第５の実施の形態に係る差圧調整機構を説明するための模式図である。図１２に示されるように、差圧調整機構６８は、制御部１００によって制御される。制御部１００は、マイクロコンピュータ等のコンピュータによって実現される。これにより、差圧Ｐｓｃを自動的に調整することができる。すなわち制御部１００は、被処理水ノズル６２のノズル口６７における被処理水の入口圧と、ケース６３内の被処理水の容器圧との間の差圧Ｐｓｃを調整するステップを実行する。図１２に示された構成の他の部分については、第１の実施の形態の対応する部分の構成と同じである。
【００５４】
第２の実施の形態におけるバルブ５３およびバルブ５６も、同様に制御部１００によって制御されてもよい。さらに、第３および第４の実施の形態において、差圧調整機構がコンピュータによって制御される構成であってもよい。このような構成によって、第３および第４の実施の形態において、制御部１００により、差圧Ｐｓｃを自動的に調整することができる。
【００５５】
今回開示された実施の形態はすべての点で例示であって、制限的なものではないと考えられるべきである。本発明の範囲は上記した実施の形態ではなく特許請求の範囲によって示され、特許請求の範囲と均等の意味、および範囲内でのすべての変更が含まれることが意図される。
【符号の説明】
【００５６】
１２  濾過装置
１３  殺滅装置
１４  タンク
２１  ポンプ
３１〜３５  配管
５１，５３，５６  バルブ
６１  プリーツフィルタ
６２  被処理水ノズル
６２ａ  上部（ノズル口）
６２ｂ  下部（ノズル口）
６２ｃ，６２ｄ  側壁部（ノズル口）
６３  ケース
６４  濾過水流路
６５  排出流路
６６  被処理水流路
６７  ノズル口
６８  差圧調整機構
６９  バイパス流路
６９ａ  流量制御弁
７０  薬液注入口
７１  外筒部
７２  蓋部
７３  底部
８０  中心配管
８１  取水穴
９０  モータ
１００  制御部
Ｃ  軸線
Ｄ  部分（プリーツフィルタ）
Ｍ  外端部（プリーツフィルタ）
Ｐ，Ｐｃ，Ｐｉ，Ｐｏ，Ｐｓ  圧力
Ｐｓｃ  差圧
Ｖ  内端部（プリーツフィルタ）
Ｗ  幅
Ｗ１  被処理水
Ｗ２  濾過水
Ｗ３  排出水
【図１】
0006296069.tif 000002
【図２】
0006296069.tif 000003
【図３】
0006296069.tif 000004
【図４】
0006296069.tif 000005
【図５】
0006296069.tif 000006
【図６】
0006296069.tif 000007
【図７】
0006296069.tif 000008
【図８】
0006296069.tif 000009
【図９】
0006296069.tif 000010
【図１０】
0006296069.tif 000011
【図１１】
0006296069.tif 000012
【図１２】
0006296069.tif 000013